(57)【要約】      （修正有）【課題】綴じ込んだ用紙類が汚れないようにし，また、持ち運び時に丸めてポケットなどに入るようにして、作業現場などでの作業性を改善し、さらに用紙類が容易に脱落しないようにしたクリップホルダーを提供する。【解決手段】ア．おもて表紙１、うら表紙２は可塑性があるビニールシートなどを使用し、おもて表紙は薄手の透明なもの、うら表紙は厚手のものとして、用紙などを綴じ込んだ状態で丸めることができるものとする。イ．クリップ４を固定するカシメまたはネジ類５はクリップの内面側に緩やかな突起部５ａがあるものを使用して、クリップに綴じ込んだ用紙類が容易に脱落しないようにした。ウ．おもて表紙、うら表紙、クリップを確実に固定するために全体の１／４〜１／２程度の幅のベース板３を用い、その裏面の端部にはスケール６を刻み込む。エ．おもて表紙の一部には名刺などを挿入できるように透明性の材料によりポケット７を付加する。【選択図】    図１
2004230877.tif 000002
【特許請求の範囲】
【請求項１】
おもて表紙（１）、うら表紙（２）、ベース板（３）の各々の端部を揃え、重ねた状態にしてクリップ（４）の内面側になる部分が緩やかな突起状（５ａ）をなすリベットやネジ止め（５）などによりずれないように固定し、おもて表紙（１）とうら表紙（２）の間のクリップ（４）には用紙などを綴じ込めるようにして、綴じ込んだ用紙など（８）に記録を記載することができ、記録を記載しないときはベース板（３）におもて表紙（１）、うら表紙（２）を含めて丸めることができることを特徴とするプロテクタ付クリップホルダー。
【請求項２】
おもて表紙（１）は薄手の透明なビニールなどの可塑性があるシート状の材料を使用して、クリップ（４）に綴じ込んだ用紙など（８）が確認でき、かつ、綴じ込んだ用紙など（８）の表面が汚損したり、折れ曲がったりしないようにした請求項１に記載のプロテクタ付クリップホルダー。
【請求項３】
うら表紙（２）はおもて表紙（１）よりもやや厚手のビニールなどの可塑性があるシート状の材料を使用して、クリップ（４）に綴じ込んだ用紙など（８）に記録が記載し易くした請求項１に記載のプロテクタ付クリップホルダー。
【請求項４】
ベース板（３）の幅は取り付けない辺の幅の１／４〜１／２程度にして、ベース板（３）に沿っておもて表紙（１）、うら表紙（２）、綴じ込んだ用紙など（８）を含めて丸めることができるようにし、その端部の裏面には３０ｃｍ程度のスケール目盛（６）を付けた請求項１に記載のプロテクタ付クリップホルダー。
【請求項５】
おもて表紙（１）の一部に薄手の透明なビニールなどの可塑性があるシート状の材料により、名刺などが挿入できるポケット（７）をつけた請求項１に記載のプロテクタ付クリップホルダー。
【発明の詳細な説明】
【０００１】
【発明の属する技術分野】
本発明は、プロテクタ付クリップホルダーに綴じ込んだ用紙などが汚損しないように表面を薄手の透明なシートで保護し、かつ、クリップ内面側の取り付けネジなどを緩やかな突起状にして綴じ込んだ用紙などを脱落しにくくした。
【０００２】
おもて表紙、うら表紙に可塑性があるシートを使用してクリップホルダーを丸めることができるようにし、ベース板端部の裏面に概略寸法が測定できるスケールとおもて表紙の一部に名刺などを挿入することができるポケットを付加したプロテクタ付クリップホルダーに関するものである。
【０００３】
【従来の技術】
従来のクリップホルダーは、うら表紙に厚手のボール紙や薄手の硬いプラスチックなどを使用して製造されており、折り曲げたり、丸めたりして持ち歩くことができず、クリップホルダーに綴じ込んだ用紙などの一枚目が露出しており、持ち歩き中に折れ曲がったり、汚損し、クリップに綴じ込んだ用紙などは外れ易く、落としてしまうことが多かった。
【０００４】
【発明が解決しようとする課題】
従来のクリップホルダーには次のような欠点があった。
ア．折り曲げること、丸めることができず、持ち歩きに不便であった。
イ．綴じ込んだ用紙などの一枚目が常に露出しており、折れ曲がったり、汚損したりした。
ウ．綴じ込んだ用紙などが脱落しやすかった。
エ．概略の寸法も測ることができなかった。
オ．クリップホルダーの所有者が分からなかった。
本発明は、以上の欠点を解決するためになされたものである。
【０００５】
【課題を解決するための手段】
上記の課題を解決するために、本発明は図１に斜視図を示し、次の項目を行う。
ア．おもて表紙（１）、うら表紙（２）は可塑性があるビニールシートなどを使用し、おもて表紙（１）は薄手で透明のもの、うら表紙（２）はやや厚手のものとして、用紙など（８）を綴じ込んだ状態で丸めることができるものとする。
イ．クリップ（４）を固定するカシメまたはネジ止め（５）はクリップの内面側に緩やかな突起部（５ａ）があるものを使用して、綴じ込んだ用紙などが容易に脱落しないようにする。
ウ．おもて表紙（１）、うら表紙（２）、クリップ（４）を確実に固定するために全体の１／４〜１／２程度の幅のベース板（３）を用い、その裏面の端部にはスケール（６）を刻み込む。
エ．おもて表紙の一部には名刺を挿入できるように透明性の材料によりポケット（７）を付加する。
本発明は、以上の構成よりなるプロテクタ付クリップホルダーである。
【０００６】
【発明の実施の形態】
以下、本発明の実施の形態を説明する。
ア．おもて表紙（１）、うら表紙（２）、ベース板（３）の各々の端部を揃え重ねた状態でクリップ（４）の内面側になる部分が緩やかな突起状（５ａ）をなすリベットやネジ止め（５）などで固定し、おもて表紙（１）とうら表紙（２）の間にクリップ（４）により、用紙など（８）を綴じ込めるようにする。
イ．おもて表紙（１）は薄手の透明なビニールなど、うら表紙（２）はやや厚手のビニールなどの可塑性があるシート状の材料を使用する。
ウ．ベース板（３）の幅は取り付けない辺の幅の１／４〜１／２程度にして、その裏面の端部には３０ｃｍ程度のスケール（６）をつける。
エ．おもて表紙（１）の一部に薄手の透明なビニールなどの可塑性があるシート状の材料による名刺などが挿入できるポケット（７）をつける。
本発明は、以上の構成よりなっている。
【０００７】
【発明の実施例】
本発明を使用するときは、おもて表紙（１）とうら表紙（２）の間のクリップ（４）に用紙など（８）を綴じ込み、ベース板（３）に沿って丸めた状態にしてポケットなどに入れて保管することができる。
【０００８】
また、記載する場合はおもて表紙を開けて必要な用紙など（８）に記載することができる。
【０００９】さらに、ベース板（３）に取り付けたスケールにより寸法を測ることに利用でき、おもて表紙に取り付けたポケットに名刺を挿入することができる。
【００１０】
【発明の効果】
本発明を使用することによって、プロテクタ付クリップホルダーに綴じ込んだ用紙などは汚れにくく、脱落しにくくなり、ベース板の裏面に付けたスケールにより作業現場などでの概略寸法を確認することができる。
【００１１】
さらに、名刺を表紙部分に挿入してその所有者を明確にできる。特にプロテクタ付クリップホルダーは丸めて作業服のポケットや作業用腰袋などに入れ易くなり、作業現場などではプロテクタ付クリップホルダーをポケットや作業用腰袋に収納した状態で作業者が移動するときも両手が使える状態になり、高所でも安全作業に徹することができる。
【図面の簡単な説明】
【図１】本発明の斜視図である。
【図２】本発明のＡ−Ａ断面である。
【図３】本発明のＢ−Ｂ断面である。
【符号の説明】
１    おもて表紙
２    うら表紙
３    ベース板
４    クリップ
５    クリップのカシメまたはネジ止め
５ａ  クリップ内面側の緩やかな突起
６    ベース板の裏面側に刻み込んだスケール
７    名刺ポケット
８    メモ用紙類などの綴じ込み代
【図１】
2004230877.tif 000003
【図２】
2004230877.tif 000004
【図３】
2004230877.tif 000005